(57)【要約】【課題】シール材等の注入と同時に其の表面の仕上げを確実に行うことができる新規な仕上げノズルの提供。また、シール材等を無駄なく溝状部分に沿ってスムーズに移動でき注入できる仕上げノズルの提供。【解決手段】シール材等の充填してある容器の先端に、ヘラ部分2とヘラ部分2のサイドに設けた溝用ガイド5とガイドを兼ねたヘラ部分2と目的物の表面をスライドするガイド12を設けた注入用ノズルを設けることによって、スムーズに目的物9の溝等4に注入できるようにした。その作業工程は、シール材等3を目的物9の溝等4の両端に注入用ノズル1の先端の下部のガイドを兼ねたヘラ部分2をあてて、其の溝等4に沿って進行方向10にすべらせ、シール材等3を注入しながら、注入用ノズル1の先端の下部のヘラ部分2で押さえつけながら、溝用ガイド5が目的物の溝等4と平行に移動し、また目的物の表面をスライドするガイド12を目的物の表面9に沿ってスライドさせて、注入していく。このように目的物の溝等4の注入等が、均一に簡単に作業できる。【選択図】図１
2009281088.tif 000002
【特許請求の範囲】
【請求項１】
先端の下部にヘラを設けた注入用ノズル
【請求項２】
同上のヘラのサイドに溝の幅に沿って平行にスライドするガイドを設けた注入用ノズル                                                  
【請求項３】
先端の下部のヘラがガイドの役目をする注入用ノズル
【請求項４】
目的物の表面に沿ってスライドするガイドを設けた注入用ノズル
【請求項５】
先端の下部のヘラのサイドに溝の幅に沿って平行にスライドするガイドと下部にもガイドを兼ねたヘラを設けて、目的物の表面に沿ってスライドするガイドも設けた注入用ノズル
【請求項６】
先端の下部のヘラ幅を調節できる注入用ノズル
【請求項７】
先端の下部のヘラのサイドに溝の幅に沿って平行にスライドするガイドの幅を調節できる注入用ノズル
【請求項８】
目的物の表面に沿ってスライドするガイドの幅を調節できる注入用ノズル
【請求項９】
請求項6と7と8の幅の調整を固定できる器具を設けた注入用ノズル
【発明の詳細な説明】
【技術分野】
【０００１】
本発明は、シール材、接着剤、補修材等（以下シール材等と言う）のノズルに関する。
【背景技術】
【０００２】
現在のシール材等の注入は、円筒形等の樹脂製ノズルが付属されており、溝の巾に合わせて先端を切り落とし、コーキングガン等にセットしたり、先端を切り落としたまま搾り出して使用するものである。そのため一般の人々には、溝の周囲に養生用のテープを貼り、その後コーキングガン等で其の溝をなぞるようにして、シール材等をコーキングガン等で搾り出したり又は、手で搾り出したりして溝等を埋めるものであった。其のため、養生テープを貼る手間とシール材等の注入がかなり熟練していないときれいには仕上がらないものであった。
【発明の開示】
【発明が解決しようとする課題】
【０００３】
解決しようとする問題点は、正確に目地等の溝に沿って注入用ノズル等を走らせることができないことと、シール材等の注入量が、押し出す圧力によって、過不足を生じやすく均一な注入量を保てないことである。このように非常に不安定な作業の為、養生用のテープを目地等の両脇に貼って、シール材等の過不足なはみだしを防ぐようにしなくてはならないことである。また人の力による不安定な注入により注入量の異なる部分に過不足なシール材等が周囲に広がり、仕上げベラ等により、過不足なシール材等を均一にしなければならない。このようにシール材等の注入は、注入作業と仕上げ作業を各別に行わなければならない。しかもシール材等の注入作業および仕上げ作業は、相当の熟練を要する。また養生用テープも使わなくてはならず、余分な作業時間と余分な道具を必要とする。もちろん養生用テープなどの廃棄も産業廃棄物となる。
【課題を解決するための手段】
【０００４】
本発明の注入用ノズルは、先端の下部のへらと溝の幅に沿って平行にスライドするガイドと目的物の表面に沿ってスライドするガイドを設けて、注入用ノズルを進行方向の溝に合わせて沿って進み、シール材等の注入等をしながら、先端の上部のヘラで押さえていく用途を併せ持つことを最も主要な特徴とする。その際に過分なシール材等を先端に設けたヘラのつばで、かき集め、シール材を目的の部分に注入していくことを、特徴としている。その際に、用途に応じて溝の幅の調節もできるように、ヘラとヘラのサイドの溝の幅に沿って平行にスライドするガイドと目的物の表面に沿ってスライドするガイドの幅の調節が調整できるようになっている。其の固定も器具を使用して固定できるように金具を設けてある。
【発明の効果】
【０００５】
本発明の注入用ノズルの形状で、溝に沿った注入が簡単にでき、また養生用テープを貼る手間が不要で、ヘラがシール材等を均一に押さえるので、きれいで均一な注入が誰でも簡単に短時間でできることである。これまでは、養生テープを貼る時間が余分であり、シール材等の注入が均一でなく、熟練した技術を要するものであった。本発明は、同時にヘラで押さえ、サイドに溝用ガイドが設けてあるため、これまでの溝からはみ出た場合の不要なふき取りもいらず、ふき取る際にでるごみも出ない。非常に有効にシール材等の注入が行えることである。もちろん溝の幅に合わせたサイズのヘラの幅の調整も簡単で、ほとんどどのような部分でも簡単に注入ができる。また目的物の表面に沿ってスライドするガイドが、シール材等の高さを均一に整えてくれる。
【発明を実施するための最良の形態】
【０００６】
図においては、注入用ノズル1の先端の下部のヘラ部分2を目的物の溝4の幅に合わせて、調整用金具7を締付け用金具6で固定し、その際にサイドに付属する溝用ガイド5が、ヘラ部分2と同じ幅に調節され、目的物9の溝部分4にあてがい進行方向10にコーキングガン又は手で搾り出しながら作業を開始すると、ヘラ部分2で押さえながら、おさえきれなかった余分なシール材等3をかき集め、サイドに付属する溝用ガイド5の周りの部分に余分なシール材等3が集まり、その余分なシール材等3を、進行方向10に作業をしながら、使うことができる。ヘラ部分2の幅を目的物の溝等4の幅に合わせることで、ヘラ部分2がガイドの役目を果たし、どのような目的物の溝等でも簡単に、作業ができる。また溝用ガイド5と目的物の表面をスライドするガイド12の幅もヘラ部分2と同じ幅になる。
その際に目的物の表面をスライドするガイド12を、目的物の表面9にこすり付けながら押さえつける。このようにシール材等3の注入が、簡単にすばやくきれいになり、シール材等3の注入が、均一にできあがる。
【産業上の利用可能性】
【０００７】
現在、手動、電動によるあらゆるシーリング、接着、補修等を要する作業は、非常に高等な技術を要し、時間と養生作業の手間がかかるものであるが、この発明を利用することにより、誰にでも簡単、短時間で上記の作業ができる。また、この作業によるゴミも減らすことができ、地球にやさしい環境にすることができる。
【図面の簡単な説明】
【０００８】
【図１】注入用ノズルの横から見た実施例1の断面を表した説明図である。
【図２】注入用ノズルの後部から見た実施例1の断面を表した説明図である。
【図３】注入用ノズルの横から見た実施例2の断面を表した説明図である。
【図４】注入用ノズルの後部から見た実施例2の断面を表した説明図である。
【図５】注入用ノズルの上から見た実施例の平面を表した説明図である。
【符号の説明】
【０００９】
1    注入用ノズル
2    ヘラ部分
3       
シール材等
4       
目的物の溝等
5       
溝用ガイド
6       
締付固定用金具
7       
調整用金具
8       
幅スライド用切込み
9       
目的物の表面
10    作業方向
11    作業中のシール材等
12    目的物の表面をスライドするガイド
【図１】
2009281088.tif 000003
【図２】
2009281088.tif 000004
【図３】
2009281088.tif 000005
【図４】
2009281088.tif 000006
【図５】
2009281088.tif 000007